(57)【要約】【課題】折り曲げ易く、かつ印画紙に皺が発生し難い写真台紙を提供する。【解決手段】第一折曲部４１及び第二折曲部４２において折り曲げ可能で三つ折りにされる芯紙４０と、写真等の画像が印刷され芯紙４０の上面に第一折曲部４１及び第二折曲部４２を跨ぐように貼着される印画紙２０と、芯紙４０の下面に貼着された表紙５０を備える写真台紙２００であって、表紙５０の上面を凹ませてなる天側から地側に延びる第一溝部５１と、第一折曲部４１と第二折曲部４２との距離だけ第一溝部５１から離間して表紙５０の上面を断面コ字状に凹ませてなる、天側から地側に延び第一溝部５１よりも幅広でかつ深さも深い第二溝部５２を備え、芯紙４０の第一折曲部４１及び第二折曲部４２に天側から地側に延びるスリット４３を設けるとともに、平面状とした芯紙４０の下面に表紙５０が第一溝部５１及び第二溝部５２を除いて貼着された。【選択図】図３
2015030125.tif 000002
【特許請求の範囲】
【請求項１】
天側から地側に延びるように形成された折曲部において折り曲げ可能な芯紙と、
写真等の画像が印刷され前記芯紙の上面に前記折曲部を跨ぐように貼着される印画紙と、
前記芯紙の下面に貼着された表紙を備える写真台紙であって、
前記芯紙の折曲部に天側から地側に延びるスリットを設けたことを特徴とする写真台紙。
【請求項２】
前記スリットは前記芯紙の下面から上面側に向かって刻設されてなることを特徴とする請求項１に記載の写真台紙。
【請求項３】
前記芯紙は、
互いに離間され折り曲げられない複数の芯紙本体と、
前記スリットが形成され隣接する前記芯紙本体間に配置された、前記芯紙本体とは別部材の折曲部からなることを特徴とする請求項１又は２に記載の写真台紙。
【請求項４】
前記表紙の上面を凹ませてなる、天側から地側に延び前記折曲部に相対する溝部をさらに備え、
前記芯紙を折り曲げたときに前記折曲部が前記溝部の底面から離間することを特徴とする請求項１乃至３のうちいずれか一つに記載の写真台紙。
【請求項５】
天側から地側に延びるように形成された第一折曲部及び第二折曲部において折り曲げ可能で三つ折りにされる芯紙と、
写真等の画像が印刷され前記芯紙の上面に前記第一折曲部及び前記第二折曲部を跨ぐように貼着される印画紙と、
前記芯紙の下面に貼着された表紙を備える写真台紙であって、
前記表紙の上面を凹ませてなる天側から地側に延びる第一溝部と、
前記第一折曲部と前記第二折曲部との距離だけ前記第一溝部から離間して前記表紙の上面を断面コ字状に凹ませてなる、天側から地側に延び前記第一溝部よりも幅広でかつ深さも深い第二溝部を備え、
前記芯紙の第一折曲部及び第二折曲部に天側から地側に延びるスリットを設けるとともに、
前記第一溝部に前記第一折曲部が相対するとともに前記第二溝部に前記第二折曲部が相対するように前記表紙と前記芯紙が配置され、
平面状とした前記芯紙の下面に前記表紙が前記第一溝部及び第二溝部を除いて貼着されたことを特徴とする写真台紙。
【請求項６】
天側から地側に延びるように形成された折曲部において折り曲げ可能で二つ折りにされる芯紙と、
写真等の画像が印刷され前記芯紙の上面に前記折曲部を跨ぐように貼着される印画紙と、
前記芯紙の下面に貼着された表紙を備える写真台紙であって、
前記表紙の上面を断面コ字状に凹ませてなる天側から地側に延びる溝部を備え、
前記溝部に前記折曲部が相対するように前記表紙と前記芯紙が配置され、
平面状とした前記芯紙の下面に前記表紙が前記溝部を除いて貼着されたことを特徴とする写真台紙。
【請求項７】
天側から地側に延びるように形成された第一折曲部及び第二折曲部において折り曲げ可能で三つ折りにされる芯紙と、
写真等の画像が印刷され前記芯紙の上面に前記第一折曲部及び前記第二折曲部を跨ぐように貼着される印画紙と、
前記芯紙の下面に貼着された表紙を備える写真台紙であって、
前記表紙の上面を凹ませてなる天側から地側に延びる第一溝部と、
前記第一折曲部と前記第二折曲部との距離だけ前記第一溝部から離間して前記表紙の上面を断面コ字状に凹ませてなる、天側から地側に延び前記第一溝部よりも幅広でかつ深さも深い第二溝部を備え、
前記第一溝部に前記第一折曲部が相対するとともに前記第二溝部に前記第二折曲部が相対するように前記表紙と前記芯紙が配置され、
平面状とした前記芯紙の下面に前記表紙が前記第一溝部及び第二溝部を除いて貼着されたことを特徴とする写真台紙。
【発明の詳細な説明】
【技術分野】
【０００１】
本発明は、芯紙の上面に印画紙が貼着され、芯紙の下面には表紙が貼着される写真台紙に関するものである。
【背景技術】
【０００２】
結婚式や七五三等の記念の行事においてはプロのカメラマンに写真を撮ってもらうことが多く、また最近ではデジタルカメラが個人にも広く普及しているので、それらの行事のときに個人で写真を撮影することも少なくない。
そのような記念写真は、通常のスナップ写真を保存する場合に比べて高級な写真台紙で保存することが一般的であり、この写真台紙としてはアルバム台紙の他に、図１３及び図１４に示すような写真台紙１００が知られている（例えば、特許文献１参照）。
【先行技術文献】
【特許文献】
【０００３】
【特許文献１】実用新案登録第３０８７１３３号公報
【０００４】
図１３及び図１４に示す写真台紙１００（三面台紙）は、印画紙２０が貼着された芯紙１０三枚と表紙３０を備える。詳しくは、隣り合う芯紙１０間が写真台紙１００の折曲部１１となるように、芯紙１０が互いに離間されて表紙３０に貼着されており、折曲部１１は他の部分よりも芯紙１０が存在しない分だけ薄肉になっている。
この写真台紙１００は横長の略矩形状であって三つ折り可能となっており、写真台紙１００を本棚等に収納するときや持ち運ぶときには、印画紙２０が貼着された面が内側になるように折曲部１１において三つ折りにされる。
【０００５】
この写真台紙１００によると、隣り合う芯紙１０が互いに離間しており折曲部１１に芯紙１０が存在しないので、芯紙１０が印画紙２０に比べて厚くても折り曲げ易い。
【発明の概要】
【発明が解決しようとする課題】
【０００６】
しかしながら、この写真台紙１００は印画紙２０がその下面から保護される（支えられる）ことなく折り曲げられるので、印画紙２０において天側から地側に皺Ｓが発生してしまうという問題がある。
すなわち、印画紙２０には下地がない箇所において折り曲げられるので、その位置では図１４に示すように印画紙２０の表面が凹み、図１３に示すように隣り合うページの境目に折り目（皺Ｓ）がついてしまう。
このように生じる皺Ｓに写真の顔や体の部分が掛かると記念の写真が台無しになってしまうので、写真の顔の部分が折曲部１１を跨がないようにレイアウトする必要がある等、画像のレイアウトが制限されてしまう。
【０００７】
そこで、本発明の目的とするところは、折り曲げ易く、かつ印画紙に皺が発生し難い写真台紙を提供することにある。
【課題を解決するための手段】
【０００８】
上記の目的を達成するために、本発明の請求項１に記載の写真台紙（２００）は、天側から地側に延びるように形成された折曲部（４１，４２）において折り曲げ可能な芯紙（４０）と、写真等の画像が印刷され前記芯紙（４０）の上面に前記折曲部（４１，４２）を跨ぐように貼着される印画紙（２０）と、前記芯紙（４０）の下面に貼着された表紙（５０）を備える写真台紙（２００）であって、前記芯紙（４０）の折曲部（４１，４２）に天側から地側に延びるスリット（４３）を設けたことを特徴とする。
ここでいうスリット（４３）とは、幅を有するものに限られず、例えば刃物を芯紙（４０）に垂直に入れることのみで形成した切込みも含む。
【０００９】
また、請求項２に記載の写真台紙（２００）は、前記スリット（４３）は前記芯紙（４０）の下面から上面側に向かって刻設されてなることを特徴とする。
【００１０】
また、請求項３に記載の写真台紙（２００）は、前記芯紙（４０）は、互いに離間され折り曲げられない複数の芯紙（４０）本体と、前記スリット（４３）が形成され隣接する前記芯紙（４０）本体間に配置された、前記芯紙（４０）本体とは別部材の折曲部（４１，４２）からなることを特徴とする。
【００１１】
また、請求項４に記載の写真台紙（２００）は、前記表紙（５０）の上面を凹ませてなる、天側から地側に延び前記折曲部（４１，４２）に相対する溝部（５１，５２）をさらに備え、前記芯紙（４０）を折り曲げたときに前記折曲部（４１，４２）が前記溝部（５１，５２）の底面から離間することを特徴とする。
【００１２】
また、請求項５に記載の写真台紙（２００）は、天側から地側に延びるように形成された第一折曲部（４１）及び第二折曲部（４２）において折り曲げ可能で三つ折りにされる芯紙（４０）と、写真等の画像が印刷され前記芯紙（４０）の上面に前記第一折曲部（４１）及び前記第二折曲部（４２）を跨ぐように貼着される印画紙（２０）と、前記芯紙（４０）の下面に貼着された表紙（５０）を備える写真台紙（２００）であって、前記表紙（５０）の上面を凹ませてなる天側から地側に延びる第一溝部（５１）と、前記第一折曲部（４１）と前記第二折曲部（４２）との距離だけ前記第一溝部（５１）から離間して前記表紙（５０）の上面を断面コ字状に凹ませてなる、天側から地側に延び前記第一溝部（５１）よりも幅広でかつ深さも深い第二溝部（５２）を備え、前記芯紙（４０）の第一折曲部（４１）及び第二折曲部（４２）に天側から地側に延びるスリット（４３）を設けるとともに、前記第一溝部（５１）に前記第一折曲部（４１）が相対するとともに前記第二溝部（５２）に前記第二折曲部（４２）が相対するように前記表紙（５０）と前記芯紙（４０）が配置され、平面状とした前記芯紙（４０）の下面に前記表紙（５０）が前記第一溝部（５１）及び第二溝部（５２）を除いて貼着されたことを特徴とする。
【００１３】
また、請求項６に記載の写真台紙（２００）は、天側から地側に延びるように形成された折曲部（４１，４２）において折り曲げ可能で二つ折りにされる芯紙（４０）と、写真等の画像が印刷され前記芯紙（４０）の上面に前記折曲部（４１，４２）を跨ぐように貼着される印画紙（２０）と、前記芯紙（４０）の下面に貼着された表紙（５０）を備える写真台紙（２００）であって、前記表紙（５０）の上面を断面コ字状に凹ませてなる天側から地側に延びる溝部（５１，５２）を備え、前記溝部（５１，５２）に前記折曲部（４１，４２）が相対するように前記表紙（５０）と前記芯紙（４０）が配置され、平面状とした前記芯紙（４０）の下面に前記表紙（５０）が前記溝部（５１，５２）を除いて貼着されたことを特徴とする。
【００１４】
また、請求項７に記載の写真台紙（２００）は、天側から地側に延びるように形成された第一折曲部（４１）及び第二折曲部（４２）において折り曲げ可能で三つ折りにされる芯紙（４０）と、写真等の画像が印刷され前記芯紙（４０）の上面に前記第一折曲部（４１）及び前記第二折曲部（４２）を跨ぐように貼着される印画紙（２０）と、前記芯紙（４０）の下面に貼着された表紙（５０）を備える写真台紙（２００）であって、前記表紙（５０）の上面を凹ませてなる天側から地側に延びる第一溝部（５１）と、前記第一折曲部（４１）と前記第二折曲部（４２）との距離だけ前記第一溝部（５１）から離間して前記表紙（５０）の上面を断面コ字状に凹ませてなる、天側から地側に延び前記第一溝部（５１）よりも幅広でかつ深さも深い第二溝部（５２）を備え、前記第一溝部（５１）に前記第一折曲部（４１）が相対するとともに前記第二溝部（５２）に前記第二折曲部（４２）が相対するように前記表紙（５０）と前記芯紙（４０）が配置され、平面状とした前記芯紙（４０）の下面に前記表紙（５０）が前記第一溝部（５１）及び第二溝部（５２）を除いて貼着されたことを特徴とする。
【００１５】
ここで、上記括弧内の記号は、図面および後述する発明を実施するための形態に掲載された対応要素または対応事項を示す。
【発明の効果】
【００１６】
本発明の請求項１に記載の写真台紙によれば、芯紙の折曲部に天側から地側に延びるスリットを設けたので、折り曲げたときに芯紙がスリットにおいて広がるので折り曲げ易い。
しかも印画紙が芯紙の上面に折曲部を跨ぐように貼着されるので、印画紙の下面が芯紙で保護される。すなわち、折曲部においても芯紙が印画紙の下地となるので、印画紙に皺が発生し難い。
【００１７】
また、請求項２に記載の写真台紙によれば、請求項１に記載の発明の作用効果に加え、スリットは芯紙の下面から上面側に向かって刻設されてなるので、印画紙同士を向かい合わせるように折り曲げるとき、つまり通常の折り曲げにおいてスリットが下面側から開き、芯紙が円滑に折り曲げられる。
【００１８】
また、請求項３に記載の写真台紙のように、芯紙が互いに離間され折り曲げられない複数の芯紙本体と、スリットが形成され隣接する芯紙本体間に配置された、芯紙本体とは別部材の折曲部からなるとしても、請求項１又は２に記載の発明の作用効果を有する。
【００１９】
また、請求項４に記載の写真台紙によれば、請求項１乃至３に記載の発明の作用効果に加え、表紙の上面を凹ませてなる、天側から地側に延び折曲部に相対する溝部をさらに備え、芯紙を折り曲げたときに折曲部が溝部の底面から離間するので、折曲部が溝部の底面から押圧されない。よって、溝部の底面から押圧されることによる折曲部の変形がないので、折曲部に貼着された印画紙にも皺が発生し難い。
【００２０】
また、請求項５に記載の写真台紙によれば、芯紙の第一折曲部及び第二折曲部に天側から地側に延びるスリットを設けるので、折り曲げたときに芯紙がスリットにおいて広がり折り曲げ易い。
また、印画紙が芯紙の上面に第一折曲部及び第二折曲部を跨ぐように貼着されるので、芯紙を三つ折りにするタイプの写真台紙であっても、印画紙の下面が芯紙で保護され、印画紙に皺が発生し難い。
また、第一溝部に第一折曲部が相対するとともに第二溝部に第二折曲部が相対するように表紙と芯紙が配置され、平面状とした芯紙の下面に表紙が第一溝部及び第二溝部を除いて貼着されたので、折り曲げたときに第一溝部に第一折曲部が入り込むとともに第二溝部に第二折曲部が入り込む。よって、円滑に折り曲げ可能であるとともに第一折曲部や第二折曲部に貼着された印画紙に皺がより発生し難い。
【００２１】
また、請求項６に記載の写真台紙によれば、印画紙が芯紙の上面に折曲部を跨ぐように貼着されるので、芯紙を二つ折りにするタイプの写真台紙であっても、印画紙の下面が芯紙で保護され、印画紙に皺が発生し難い。
また、溝部に折曲部が相対するように表紙と芯紙が配置され、平面状とした芯紙の下面に表紙が溝部を除いて貼着されたので、折り曲げたときに溝部に折曲部が入り込む。しかも、溝部は断面コ字状に凹ませてなるので、溝部自体が変形し難い。よって、折り曲げ時に折曲部が溝部からさらに押圧され難いので、印画紙に皺が発生し難く、また円滑に折り曲げ可能である。
【００２２】
また、請求項７に記載の写真台紙によれば、印画紙が芯紙の上面に第一折曲部及び第二折曲部を跨ぐように貼着されるので、芯紙を三つ折りにするタイプの写真台紙であっても、印画紙の下面が芯紙で保護され、印画紙に皺が発生し難い。
また、第一溝部に第一折曲部が相対するとともに第二溝部に第二折曲部が相対するように表紙と芯紙が配置され、平面状とした芯紙の下面に表紙が第一溝部及び第二溝部を除いて貼着されたので、折り曲げたときに第一溝部に第一折曲部が入り込むとともに第二溝部に第二折曲部が入り込む。しかも、第二溝部は断面コ字状に凹ませてなるので、第二溝部自体が変形し難い。よって、折り曲げ時に第二折曲部が第二溝部から押圧され難いので、印画紙に皺が発生し難く、また円滑に折り曲げ可能である。
【００２３】
なお、本発明の写真台紙のように、印画紙が芯紙の上面に折曲部を跨ぐように貼着され、芯紙の折曲部に天側から地側に延びるスリットを設けた点は、上述した特許文献１には全く記載されていない。
【図面の簡単な説明】
【００２４】
【図１】本発明の第一実施形態に係る写真台紙を示す斜視図である。
【図２】図１に示す写真台紙を開いた状態を示す拡大底面図である。
【図３】図１に示す写真台紙を折り曲げた状態を示す拡大底面図である。
【図４】図１に示す写真台紙を完全に折り曲げた状態を示す拡大底面図である。
【図５】本発明の第二実施形態に係る写真台紙の開いた状態を示す拡大底面図である。
【図６】図５に示す写真台紙を折り曲げた状態を示す拡大底面図である。
【図７】本発明の他の実施形態を示す拡大底面図である。
【図８】本発明のさらに他の実施形態を示す拡大底面図である。
【図９】本発明の他の実施形態を示す拡大底面図である。
【図１０】本発明の他の実施形態を示す拡大底面図である。
【図１１】本発明の他の実施形態を示す拡大底面図である。
【図１２】本発明の他の実施形態を示す拡大底面図である。
【図１３】従来例に係る写真台紙を示す斜視図である。
【図１４】図１３に示す写真台紙を折り曲げた状態を示す拡大底面図である。
【発明を実施するための形態】
【００２５】
（第一実施形態）
図１乃至図４を参照して、本発明の第一実施形態に係る写真台紙２００を説明する。
この写真台紙２００は、三つ折りにされるいわゆる三面台紙であって、芯紙４０と、印画紙２０と、表紙５０と、を備え、特に芯紙４０に特徴を有する。
従来例で示したものと同一部分には同一符号を付した。
【００２６】
芯紙４０は、印画紙２０の下地材となる横長の矩形状の紙で、その厚さは印画紙２０の厚さよりも厚く、表紙５０の厚さよりも薄い。
芯紙４０の右端から芯紙４０の横幅の略１／３の位置には、第一折曲部４１が天側から地側に延びるように形成されるとともに、芯紙４０の左端から芯紙４０の横幅の略１／３の位置には、第二折曲部４２が天側から地側に延びるように形成される。
また、芯紙４０の第一折曲部４１及び第二折曲部４２には、天側から地側に延びる複数のスリット４３がそれぞれ芯紙４０の下面から上面側に向かって刻設されてなる。
【００２７】
詳しくは、スリット４３は図２に示すように、芯紙４０の下面から刃物を垂直に入れて形成されるもので、写真台紙２００を完全に開いた状態ではほとんどスリット４３は幅を有さず、閉じている。また、スリット４３の深さは芯紙４０の厚さの略２／３である。
そして、このような第一折曲部４１及び第二折曲部４２において芯紙４０は折り曲げ可能で、本実施形態においては三つ折りにされる。
また、芯紙４０の上面及び下面の両面には、印画紙２０や表紙５０を貼着するための粘着剤がそれぞれ施されている。
【００２８】
印画紙２０は、芯紙４０と略等しい大きさの矩形状であって、上面には写真等の画像が印刷されている。
そして、印画紙２０は芯紙４０の上面に第一折曲部４１及び第二折曲部４２を跨ぐように貼着される。つまり、印画紙２０は芯紙４０の上面全面を上から覆うように貼着され、特に芯紙４０の折曲部４１，４２の上面全面が印画紙２０に貼着されている点が重要である。
【００２９】
表紙５０は、芯紙４０よりも一回り大きくかつ芯紙４０よりも厚い矩形状の紙である。
また、表紙５０の右端から表紙５０の横幅の略１／３の位置に、第一溝部５１が表紙５０の上面を略半円状に凹ませて形成されており、その第一溝部５１が天側から地側に延びる。
一方、表紙５０の左端から表紙５０の横幅の略１／３の位置には、第二溝部５２が表紙５０の上面を断面コ字状に凹ませて形成され、その第二溝部５２も天側から地側に延びている。
つまり、第二溝部５２は、第一折曲部４１と第二折曲部４２との距離だけ第一溝部５１から離間している。
また、第二溝部５２は第一溝部５１よりも幅広でかつ深さも深い。
なお、この断面コ字状の第二溝部５２の下面は、写真台紙２００の断面略矩形状の背表紙となる。
そして、第一溝部５１に第一折曲部４１が相対するとともに第二溝部５２に第二折曲部４２が相対するように表紙５０と芯紙４０が配置されて、図２に示すような平面状とした芯紙４０の下面に表紙５０が第一溝部５１及び第二溝部５２を除いて貼着されている。すなわち、印画紙２０や芯紙４０を平面状に配置した写真台紙２００の開状態においては、第一溝部５１や第二溝部５２は表紙５０に芯紙４０が貼着された後であっても、その内部に断面半円状（第一溝部５１）又は断面略矩形状（第二溝部５２）の空隙が形成されたままの状態を保っている。
【００３０】
このような写真台紙２００を第一折曲部４１や第二折曲部４２において折り曲げた場合について説明する。
ここでは、第二折曲部４２のみの説明を行うが、第一折曲部４１においても第二折曲部４２と同様になっている。なお、最初に第一折曲部４１において折り曲げられ、次に第二折曲部４２において折り曲げられる。
【００３１】
写真台紙２００を折り畳む際には、開状態から印画紙２０同士が向かい合うように折り曲げられ、まず図３に示す状態となる。つまり、芯紙４０の上面が印画紙２０の下面に貼着されたままスリット４３の下面側が開き、第二折曲部４２の一部が第二溝部５２に入り込む。
さらに折り曲げて、図４に示すように写真台紙２００が完全に閉じた写真台紙２００の閉状態では、よりスリット４３の開きが大きくなるとともに、第二折曲部４２が第二溝部５２にさらに入り込む。しかし、第二折曲部４２が第二溝部５２に最大限に入り込んだときであっても、第二折曲部４２は第二溝部５２の底面から離間している。
【００３２】
以上のように構成された写真台紙２００によれば、芯紙４０の第一折曲部４１及び第二折曲部４２に天側から地側に延びるスリット４３を設けるので、折り曲げたときに芯紙４０がスリット４３において広がり折り曲げ易い。
また、そのスリット４３は芯紙４０の下面から上面側に向かって刻設されてなるので、印画紙２０同士を向かい合わせるように折り曲げるとき、つまり通常の折り曲げにおいてスリット４３が下面側から開き、芯紙４０が円滑に折り曲げられる。
【００３３】
また、印画紙２０が芯紙４０の上面に第一折曲部４１及び第二折曲部４２を跨ぐように貼着されるので、芯紙４０を三つ折りにするタイプの写真台紙２００であっても、印画紙２０の下面が芯紙４０で保護され、印画紙２０に皺が発生し難い。
また、第一溝部５１に第一折曲部４１が相対するとともに第二溝部５２に第二折曲部４２が相対するように表紙５０と芯紙４０が配置され、平面状とした芯紙４０の下面に表紙５０が第一溝部５１及び第二溝部５２を除いて貼着されたので、折り曲げたときに第一溝部５１に第一折曲部４１が入り込むとともに第二溝部５２に第二折曲部４２が入り込む。よって、円滑に折り曲げ可能であるとともに第一折曲部４１や第二折曲部４２に貼着された印画紙２０に皺がより発生し難い。
【００３４】
特に、芯紙４０を折り曲げたときに第一折曲部４１が第一溝部５１の底面から離間したままであるとともに、第二折曲部４２が第二溝部５２の底面から離間したままであるので、第一折曲部４１や第二折曲部４２が第一溝部５１や第二溝部５２の底面から押圧されない。よって、溝部５１，５２の底面から押圧されることによる第一折曲部４１や第二折曲部４２の変形がないので、第一折曲部４１や第二折曲部４２に貼着された印画紙２０の部分にも皺が発生し難い。
【００３５】
また、第二溝部５２は断面コ字状に凹ませてなるので、第二溝部５２自体が変形し難い。よって、折り曲げ時に第二折曲部４２が第二溝部５２からさらに押圧され難いので、印画紙２０に皺が発生し難く、また円滑に折り曲げ可能である。
【００３６】
（第二実施形態）
次に図５と図６を参照して、本発明の第二実施形態に係る写真台紙２００を説明する。なお、第一実施形態と同一部分には同一符号を付した。
本実施形態の第一実施形態との違いは、スリット４３の深さであり、その他の構成要素に関しては第一実施形態と同一である。
【００３７】
本実施形態においては、図５に示すようにスリット４３を芯紙４０の厚さと同じだけ深く形成した。
よって、この写真台紙２００を折り曲げたときには、図６に示すように芯紙４０の上端からスリット４３が開く。
この場合であっても、常に芯紙４０が印画紙２０に貼着されたままで、印画紙２０を下面から支持して保護しているので、印画紙２０には皺が発生し難い。
【００３８】
なお、第一、第二実施形態において、芯紙４０の折曲部に形成されたスリット４３はほとんど幅を有さないとしたが、これに限られるものではなく、写真台紙２００が開状態であっても、図７に示すようにスリット４３が一定の幅を有した断面矩形状に形成され、折曲部が櫛歯状となっていてもよい。
また、スリット４３は他の形状であってもよく、例えば図８に示すように略三角形であってもよい。
【００３９】
また、スリット４３は芯紙４０の下面から上面側に向かって刻設されたものに限られず、例えば図９に示すように芯紙４０の上面から下面側に向かって刻設されたものを含んでいてもよい。
【００４０】
また、スリット４３は芯紙４０の下面から刃物を垂直に入れて形成するものに限られず、図１０に示すように斜めに入れて形成されていてもよい。
【００４１】
さらには、スリット４３は折曲部だけに形成されたものに限られず、製造の効率の観点から図１１に示すように芯紙４０全体にスリット４３を形成してもよい。このように、芯紙４０全体にスリット４３を形成しても、芯紙４０は表紙５０にも貼着しているので印画紙２０の下地材としての機能を失うことはない。
【００４２】
また、折曲部にスリット４３が形成されていることが好ましいが、図１２に示すように折曲部にスリット４３が形成されていなくても、第一溝部５１や第二溝部５２が形成されている場合には、それらが形成されていない場合よりは折り曲げ易い。
【００４３】
また、溝部は断面コ字状のものに限られず、第一溝部５１と第二溝部５２がともに断面略円形であってもよい。
また、写真台紙２００は三つ折りであるとしたが、これに限られるものではなく、二つ折りのものであってもよい。
【００４４】
加えて、図７の二重鎖線で示すように、芯紙４０は、互いに離間され折り曲げられない複数の芯紙４０本体と、スリット４３が形成され隣接する芯紙４０本体間に配置された、芯紙４０本体とは別部材の折曲部からなってもよい。
【００４５】
また、芯紙４０を折り曲げたときに折曲部が溝部の底面から離間するとしたが、離間していなくても折曲部の上面が印画紙２０に貼着されていれば印画紙２０の皺の発生をある程度抑制することは可能である。
【００４６】
また、スリット４３を折曲部につき複数本形成したとしたが、少なくとも一本以上形成されていればよい。
また、芯紙４０は紙からなるとしたが、材質は特に問わない。同様に、印画紙２０や表紙５０の材質も特に問わない。
【符号の説明】
【００４７】
１０      芯紙
１１      折曲部
２０      印画紙
３０      表紙
４０      芯紙
４１      第一折曲部（折曲部）
４２      第二折曲部（折曲部）
４３      スリット
５０      表紙
５１      第一溝部（溝部）
５２      第二溝部（溝部）
１００      写真台紙
２００      写真台紙
Ｓ      皺
【図１】
2015030125.tif 000003
【図２】
2015030125.tif 000004
【図３】
2015030125.tif 000005
【図４】
2015030125.tif 000006
【図５】
2015030125.tif 000007
【図６】
2015030125.tif 000008
【図７】
2015030125.tif 000009
【図８】
2015030125.tif 000010
【図９】
2015030125.tif 000011
【図１０】
2015030125.tif 000012
【図１１】
2015030125.tif 000013
【図１２】
2015030125.tif 000014
【図１３】
2015030125.tif 000015
【図１４】
2015030125.tif 000016